(57)【特許請求の範囲】
【請求項１】
画像の表示機能を持つ表示装置と、
前記表示装置の表示面を、画像のプレビュー領域とその他の領域とに分割して表示を制御するための分割手段とを含み、
前記その他の領域は、
プレビュー画像が表示されている原稿データに対して所定のタスクを実行することを指示するための要素が配置されるタスクトリガー領域と、
プレビュー画像が表示されている原稿データに対して、データ変換、及び前記タスクを実行する際の条件、のいずれか又は双方を設定する機能を選択するための要素が配置される機能選択領域と含み、
前記分割手段は、前記プレビュー領域と前記その他の領域との面積比が第１の値である第１の表示モードと、前記第１の表示モードにおけるよりも前記その他の領域の面積が縮小され、前記プレビュー領域の面積が拡大される第２の表示モードとを、ユーザの指示に応じて切替え、前記第２の表示モードでは、少なくとも前記機能選択領域を縮小表示し、さらに、前記第１の表示モードと前記第２の表示モードとを切替えるユーザの操作とは別に、前記機能選択領域の大きさを変化させるユーザの操作に応じて、前記機能選択領域を前記第１の表示モードにおける大きさと前記第２の表示モードにおける大きさとの間で変化させる、表示機器。
【請求項２】
請求項１に記載の表示機器であって、
前記その他の領域は、前記第１の表示モードと、前記第２の表示モードとのいずれにおいても前記表示面上から消去されず、かつ前記第２の表示モードでは、前記その他の領域の中心が、前記第１の表示モードで表示される領域内に含まれるような位置に配置される、表示機器。
【請求項３】
請求項１又は請求項２に記載の表示機器であって、前記プレビュー領域は、前記表示面の中心点を含む位置に配置される、表示機器。
【請求項４】
請求項１から請求項３のいずれかに記載の表示機器であって、前記その他の領域の面積は、前記第１の表示モードにおいて前記プレビュー領域の面積よりも小さい、表示機器。
【請求項５】
請求項１に記載の表示機器であって、前記分割手段は、前記第２の表示モードでは、前記機能選択領域と、前記タスクトリガー領域との双方を縮小表示する、表示機器。
【請求項６】
請求項１又は請求項５に記載の表示機器であって、前記機能選択領域と、前記タスクトリガー領域とは、互いに前記プレビュー領域の反対側に配置されている、表示機器。
【請求項７】
請求項１、請求項５、及び請求項６のいずれかに記載の表示機器であって、前記分割手段は、前記第２の表示モードでは、前記機能選択領域の各機能をアイコン表示する、表示機器。
【請求項８】
請求項１に記載の表示機器であって、前記第２の表示モードにおいて、前記機能選択領域の大きさを前記第１の表示モードにおける大きさとすることを指示するユーザの操作があると、前記機能選択領域を前記第２の表示モードにおける大きさより大きく、かつその領域の背景が半透明となるように表示する、表示機器。
【請求項９】
請求項１に記載の表示機器であって、前記その他の領域はさらに、画像のプレビュー表示中に、ユーザが選択した機能に対応して選択された操作ヒントが表示されるアクションパネル領域を含む、表示機器。
【請求項１０】
請求項９に記載の表示機器であって、前記アクションパネル領域は、ユーザの指示に応じて縮小又は拡大され、それによって前記プレビュー領域の面積が拡大又は縮小される、表示機器。
【請求項１１】
請求項１に記載の表示機器であって、
前記第２の表示モードは、前記機能選択領域に表示された機能を用いて設定された条件で前記所定の処理を実行した場合の、前記原稿の仕上がり状態を確認する仕上がりプレビュー表示モードであり、
前記プレビュー表示モードでは前記機能選択領域のみが縮小表示される、表示機器。
【請求項１２】
請求項１に記載の表示機器であって、
前記第２の表示モードは、前記プレビュー領域に表示された画像に対する編集操作が可能な画像編集モードであり、
前記分割手段は、前記画像編集モードでは、前記タスクトリガー領域を縮小表示する、表示機器。
【請求項１３】
請求項１に記載の表示機器であって、
前記表示面には、タッチパネルが積層して設けられており、
前記表示機器はさらに、前記タッチパネルの出力を受けるように接続され、前記機能選択領域及び前記タスクトリガー領域に表示された情報と前記タッチパネルの出力とを照合することにより、前記分割手段による表示の制御、及び他の装置に対する指示の出力を実行するための制御手段を含む、表示機器。
【請求項１４】
筐体を備えた画像形成装置であって、
前記筐体に取り付けられた操作パネルと、
前記筐体内に設けられ、原稿データを記憶する記憶装置と、
前記筐体内に設けられ、前記操作パネルから受けた指示にしたがって、前記記憶装置に記憶された原稿データの画像を記録用紙上に形成するための画像形成部とを含み、
前記操作パネルは、
画像の表示機能を持つ表示装置と、
前記表示装置の表示面を、画像のプレビュー領域とその他の領域とに分割して表示を制御するための分割手段とを含み、
前記その他の領域は、
プレビュー画像が表示されている原稿データに対して所定のタスクを実行することを指示するための要素が配置されるタスクトリガー領域と、
プレビュー画像が表示されている原稿データに対して、データ変換、及び前記タスクを実行する際の条件、のいずれか又は双方を設定する機能を選択するための要素が配置される機能選択領域と含み、
前記分割手段は、前記プレビュー領域と前記その他の領域との面積比が第１の値である第１の表示モードと、前記第１の表示モードにおけるよりも前記その他の領域の面積が縮小され、前記プレビュー領域の面積が拡大される第２の表示モードとを、ユーザの指示に応じて切替え、前記第２の表示モードでは、少なくとも前記機能選択領域を縮小表示し、さらに、前記第１の表示モードと前記第２の表示モードとを切替えるユーザの操作とは別に、前記機能選択領域の大きさを変化させるユーザの操作に応じて、前記機能選択領域を前記第１の表示モードにおける大きさと前記第２の表示モードにおける大きさとの間で変化させる、画像形成装置。
【発明の詳細な説明】
【技術分野】
【０００１】
本発明は、画像を読込んで処理する動作モードを有する画像形成装置に関する。特に、画像のプレビューを表示することにより、ユーザが画像の状態を確認したり、画像を編集したりすることが可能な画像形成装置と、そうした装置で利用可能な表示機器とに関する。
【背景技術】
【０００２】
電子機器である画像処理装置の１種として、多くの事業所（会社、事務所等）に、画像形成装置（代表的にはコピー機）が導入されている。画像形成装置の主たる機能は、記録用紙に画像を形成することである。したがって画像形成装置は、プリンタ機能及びコピー機能等を備えていることが多い。画像形成装置はしばしば、ネットワークに接続され、複数のユーザにより利用される。このような画像形成装置の１種に、複合機（ＭＦＰ（ＭｕｌｔｉＦｕｎｃｔｉｏｎ  Ｐｅｒｉｐｈｅｒａｌ））がある。複合機は、スキャナ機能を備え、コピーモード、ファクシミリモード（以下、ファクシミリをＦＡＸまたはファクスと記載する場合がある。）、及びネットワーク対応のプリンタモードのように、複数の基本的な動作モードを備える。これらの画像形成装置でスキャナ機能は今後ますます利用される頻度が高くなると思われる。コピーモード及びファクシミリモードでも、スキャナ機能を利用して画像を読込み、両面印刷、集約（２ページを１枚にする２ｉｎ１、４ページを１枚にする４ｉｎ１）、拡大及び縮小等の機能を設定できる。
【０００３】
このような画像形成装置を利用する場合には、たとえば、ユーザは以下のような操作をする。ユーザはまずスキャナモードで画像データを画像形成装置に読込ませる。ユーザは次に、操作パネルから様々な指示を入力して画像処理（集約等）を行なう。しかる後、ユーザは、その画像に対して最終的な処理をすることを示す指示（記録用紙への印刷、ファクシミリによる送信、ファイルとして保存など）を行なう。操作パネルには、例えば、各動作モードにおける機能の設定画面が表示される。そのため、ユーザが各種の機能を容易に設定できる。ジョブ実行中には操作パネルにはジョブの進行状況が表示される。したがってユーザはジョブの進行状況を容易に把握できる。ジョブの進行状況が分からずにユーザがいらいらしたりする事態が避けられる。
【０００４】
操作パネルとして、最近では、タッチパネルディスプレイが用いられることが多くなっている。タッチパネルディスプレイは、液晶パネル（表示パネル）と、液晶パネル上に積層されたタッチパネルとを含む。通常、タッチパネルディスプレイには、画像形成装置における動作モードを選択するための項目（ソフトウェアボタン）が表示される。その表示を見たユーザが、タッチパネルディスプレイ上の、所望の項目が表示された位置を押圧する。ユーザからは、自分がソフトウェアボタンを押圧したように感じられる。どの位置が押されたかに関する情報が画像形成装置を制御するコンピュータに送られ、その位置に応じてどのような動作を行なうかがコンピュータ上で実行されるプログラムにより決定される。
【０００５】
タッチパネルディスプレイは、表示機能と操作機能とをともに提供できる。タッチパネルディスプレイは、表示部と操作部とを別々に備えたものより設置面積が少ない点、多彩な表示ができる点、及び多彩な機能を提供できる点で優れている。最近では、ユーザがタッチパネルディスプレイ表面に接触した指を動かした軌跡を認識する機能が実現されている。この機能により、ユーザはタッチパネルディスプレイ上で指を動かすことで、その動きに感覚的に合致した適切な動作を指示できる。こうした動作により電子機器を操作することを本明細書では「ジェスチャー操作」と呼ぶ。ジェスチャー操作には以下のようなものがある。
【０００６】
スキャン機能で読込んだ画像のプレビューをタッチパネルディスプレイに表示している場合を考える。このとき、例えば以下のような操作が可能である。
【０００７】
（１）  ある画像が表示された位置を指で軽く２回叩く。こうした操作をダブルタップと呼ぶ。画像がダブルタップされた時には、その画像を拡大して表示したり、縮小して表示したり、その画像の編集をするモードに移行したりすることが考えられる。
【０００８】
（２）  画像の上で、互いの間隔が大きくなるように２本の指を動かす。こうした操作をピンチアウト又はピンチオープンと呼ぶ。画像上でピンチアウト又はピンチオープンがされたときには、その画像をその指の動きにあわせて拡大して表示することが考えられる。
【０００９】
（３）  画像の上で、互いの間隔が小さくなるように２本の指を動かす。こうした操作をピンチインまたはピンチクローズと呼ぶ。画像の上でピンチイン又はピンチクローズがされたときには、その画像を縮小表示することが考えられる。
【００１０】
これら以外にも、画像が表示された位置を指で軽く叩くタップ、表示された画像を指でずらすドラッグ、表示された画像を指で軽くはらうフリック、表示された画像を２本の指でつまむピンチ等もジェスチャー操作の一例である。なお、タップおよびダブルタップについては、タッチパネルディスプレイに対するユーザの操作軌跡を検出するものではなく、厳密にはジェスチャーということはできないかもしれない。しかしここでは、タップおよびダブルタップも含めて、画像に対する上記した操作をジェスチャー操作と呼ぶ。
【００１１】
本明細書においては、タッチパネルディスプレイに対する操作であって、上記したジェスチャー操作以外の操作をタッチ操作と呼ぶ。タッチ操作とは、画像に対する直接的な操作ではなく、一般的に、ハードウェアキーの代替物としての機能を実現するための操作のことをいう。典型的には、タッチパネルディスプレイ上に表示されたソフトウェアボタン（一般的にはユーザインタフェース部品）の表示位置と、タッチパネルディスプレイに対するユーザの操作位置とに基づいて、ユーザの要求を検出する操作のことをいう。
【００１２】
このようなタッチパネルディスプレイを操作パネルとして持つＭＦＰにおいては、画像に対する様々な仕上げ処理を行なうことができる。仕上げ処理は、余白サイズなどの各種画像処理に関する設定、スタンプ押印処理、ステープル処理またはパンチ孔あけ処理等を含む。ところが、仕上げ機能を設定すると、実際の印刷が失敗することがある。例えば、パンチ孔をあける仕上がり処理を設定して実際に印刷してみると、パンチ孔の位置と出力画像とが重なったミスコピーとなることがある。その結果、消耗品（トナーおよび記録用紙）が無駄になる。
【００１３】
このような問題を解決するために、特開２００８−２０３４３９号公報（特許文献１）は、コピーの動作モードの基本画面において画像のプレビューを行なうことが可能な画像形成装置を開示する。
【００１４】
この画像形成装置によると、画面は大きく３つに分割される。両側の領域には、画像形成時の条件を設定したり、仕上がり条件を設定したりするためのソフトウェアボタンが配置される。中央には、原稿のプレビュー画像が配置される。プレビュー画像の表示態様には複数種類がある。１番目は、所定枚数（５枚）の画像を横に配列するものである。この場合、中央に配置される画像は他のものより大きく表示される。２番目は、原稿のうち、奇数ページと偶数ページとを見開き状態で表示する表示方法である。ページ数が多数あるときは、これら見開きのページが本のように積み重ねられて表示される。３番目は、複数の原稿画像をマトリクス状に配列して表示する方法である。原稿画像が画面に表示しきれないときには、画面をスクロールすることで全てを確認することができる。
【先行技術文献】
【特許文献】
【００１５】
【特許文献１】特開２００８−２０３４３９公報
【発明の概要】
【発明が解決しようとする課題】
【００１６】
特許文献１に記載のように、プレビューを有効に利用することにより、原稿の仕上がり状態を確認でき、コピーの失敗等を減少させることが可能である。しかし、この画像形成装置にも問題がある。例えば、複数ページのプレビューを表示する場合、複数ページの画像のうち、あるページを別のページに移動しようとする場合、それらを含む一連のページをプレビュー領域に表示する必要がある。しかし、表示されるページ画像が多くなると各画像の内容を確認することが難しくなり、ページの移動先を誤る可能性がある。また、表示する画像数が多くなると、プレビュー画像の縮小率が高くなる。画像の内容を確認することが難しくなり、コピーの仕上がり状態を確認することが困難になるという問題がある。
【００１７】
従って、本発明の目的は、画像数が大きくなっても画像の内容を容易に確認できる技術を提供することを目的とする。
【課題を解決するための手段】
【００１８】
本発明の第１の局面による表示機器は、画像の表示機能を持つ表示装置と、表示装置の表示面を、画像のプレビュー領域とその他の領域とに分割して表示を制御するための分割手段とを含む。分割手段は、プレビュー領域とその他の領域との面積比が第１の値である第１の表示モードと、第１の表示モードにおけるよりもその他の領域の面積が縮小され、プレビュー領域の面積が拡大される第２の表示モードとを、ユーザの指示に応じて切替える。
【００１９】
第２の表示モードでは、プレビュー領域が拡大される。プレビューされる画像の数が大きくなったりしたときでも、第２の表示モードでは画像の縮小率を大きくしなくてもよい。その結果、画像数が大きくなっても画像の内容を容易に確認できる表示機器を提供できる。
【００２０】
好ましくは、その他の領域は、第１の表示モードと、第２の表示モードとのいずれにおいても表示面上から消去されず、かつ第２の表示モードでは、その他の領域の中心が、第１の表示モードで表示される領域内に含まれるような位置に配置される。
【００２１】
その他の領域は消去されず、しかも第１の表示モードと第２の表示モードとでその位置が大きくは変化しない。ユーザはその領域がそこにあることを認識できる。そうした領域に配置された要素を用いた操作をする場合に、ユーザが混乱することが避けられる。
【００２２】
プレビュー領域は、表示面の中心点を含む位置に配置されてもよい。その他の領域の面積は、第１の表示モードにおいてプレビュー領域の面積よりも小さくてもよい。
【００２３】
プレビュー領域は表示面の中心に配置される。プレビュー領域の大きさを確保しやすく、かつユーザがプレビュー画像を確認することが容易である。
【００２４】
その他の領域は、プレビュー画像が表示されている原稿データに対して所定のタスクを実行することを指示するための要素が配置されるタスクトリガー領域と、プレビュー画像が表示されている原稿データに対して、データ変換、及びタスクを実行する際の条件、のいずれか又は双方を設定する機能を選択するための要素が配置される機能選択領域とを含む。分割手段は、ユーザの指示に応じて、第２の表示モードでは、少なくとも機能選択領域を縮小表示する。
【００２５】
プレビュー表示されている画像に対して、機能選択領域に配置された要素を用いてデータ変換又は所定のタスクの実行の際の条件を設定できる。その後、タスクトリガー領域に配置された要素を用いて原稿データに対して所定のタスクを実行できる。機能選択領域が縮小表示されるので、プレビュー領域が拡大される。機能を選択したことによる効果をプレビュー表示で容易に確認できる。タスクトリガー領域を残すようにすれば、効果を確認した後に直ちにタスクの実行を指示でき、操作の流れが円滑になる。
【００２６】
より好ましくは、表示機器は、分割手段は、第２の表示モードでは、機能選択領域と、タスクトリガー領域との双方を縮小表示する。機能選択領域と、タスクトリガー領域とは、互いにプレビュー領域の反対側に配置されていてもよい。
【００２７】
第２の表示モードでは、機能選択領域とタスクトリガー領域との双方が縮小表示される。表示面をプレビュー領域として最大限に利用できる。機能選択領域を用いた機能及び条件の設定、プレビュー画像の確認、タスクの実行、という操作の流れが領域の配置と一致する。その結果、ユーザの操作を円滑にすることができる。
【００２８】
さらに好ましくは、分割手段は、第１の表示モードと第２の表示モードとを切替えるユーザの操作とは別に、機能選択領域の大きさを変化させるユーザの操作に応じて、機能選択領域を第１の表示モードにおける大きさと第２の表示モードにおける大きさとの間で変化させる。
【００２９】
プレビュー領域を拡大してプレビュー画像を確認した後に、機能選択領域で所望の機能を選択することが、表示モードを変化させることなく行なえる。そのため、ユーザは画像の確認及び加工を簡単な操作で行なうことができる。
【００３０】
分割手段は、第２の表示モードでは、機能選択領域の各機能をアイコン表示させてもよい。
【００３１】
アイコン表示により、機能選択領域に配置されている各要素の機能をユーザに意識させながら、プレビュー領域を拡大できる。プレビュー画像の細部まで確認が容易になると同時に、機能選択を容易に行なうことが可能になる。
【００３２】
表示機器は、第２の表示モードにおいて、機能選択領域の大きさを第１の表示モードにおける大きさとすることを指示するユーザの操作があると、機能選択領域を第２の表示モードにおける大きさより大きく、かつその領域の背景が半透明となるように表示する。
【００３３】
機能選択領域が小さく表示されているときでも、表示モードを変更することなくユーザの操作で機能選択領域を拡大できる。しかも拡大された部分のプレビュー画像を容易に確認できる。ユーザは、プレビュー画像の状態を意識しながら容易に機能の設定を行なうことができる。
【００３４】
その他の領域はさらに、画像のプレビュー表示中に、ユーザが選択した機能に対応して選択された操作ヒントが表示されるアクションパネル領域を含んでもよい。
【００３５】
アクションパネルにより、プレビュー表示されている画像に対するユーザの操作に関連した操作ヒントが表示される。ユーザが知らない機能などをユーザに知らせることができるため、この表示機器を備えた電子機器を有効に活用することができる。
【００３６】
アクションパネル領域は、ユーザの指示に応じて縮小又は拡大され、それによってプレビュー領域が拡大又は縮小するようにしてもよい。
【００３７】
アクションパネル領域はユーザの指示によりその大きさを変える。操作ヒントがユーザにとって不要なときはプレビュー領域を大きくできる。必要なときには、アクションパネルを拡大することで、操作ヒントを容易に確認できる。その結果、プレビュー画像の確認と、装置の機能の有効利用とを可能にすることができる。
【００３８】
好ましくは、第２の表示モードは、機能選択領域に表示された機能を用いて設定された条件で所定の処理を実行した場合の、原稿の仕上がり状態を確認する仕上がりプレビュー表示モードである。プレビュー表示モードでは機能選択領域のみが縮小表示される。
【００３９】
タスクトリガー領域が表示されているので、ユーザの判断によりすぐに所定のタスクを実行することが可能になる。タスクトリガー領域を縮小した場合と比較してユーザのアクションが１つ少なくなり、操作を簡略化することができる。
【００４０】
より好ましくは、第２の表示モードは、プレビュー領域に表示された画像に対する編集操作が可能な画像編集モードである。その他の領域は、プレビュー領域にプレビュー画像が表示されている原稿データに対して所定のタスクを実行することを指示するための要素が配置されるタスクトリガー領域を含む。分割手段は、画像編集モードでは、タスクトリガー領域を縮小表示する。
【００４１】
画像編集モードでは、すぐにタスクを実行することはなく、一度プレビュー表示を確認する必要がある。そのため、タスクトリガー領域を通常の大きさで表示させる必要はない。一方、タスクを開始させるための要素がどこに表示されるかについては、タスクトリガー領域が縮小されているだけであるためユーザは常に意識することができる。実際にタスクの実行を開始させるときには操作に迷う危険性が小さくなる。
【００４２】
表示面には、タッチパネルが積層して設けられるようにしてもよい。表示機器はさらに、タッチパネルの出力を受けるように接続され、機能選択領域及びタスクトリガー領域に表示された情報とタッチパネルの出力とを照合することにより、分割手段による表示の制御、及び他の装置に対する指示の出力を実行するための制御手段を含んでもよい。
【００４３】
タッチパネルが表示面に積層して設けられるため、機能選択領域及びタスクトリガー領域に対する操作を直感的に行なうことが可能になる。
【００４４】
本発明の第２の局面に係る画像形成装置は、筐体を備えた画像形成装置である。この画像形成装置は、筐体に取り付けられた操作パネルと、筐体内に設けられ、原稿データを記憶する記憶装置と、筐体内に設けられ、操作パネルから受けた指示にしたがって、記憶装置に記憶された原稿データの画像を記録用紙上に形成するための画像形成部とを含み、操作パネルは、画像の表示機能を持つ表示装置と、表示装置の表示面を、画像のプレビュー領域とその他の領域とに分割して表示を制御するための分割手段とを含む。分割手段は、プレビュー領域とその他の領域との面積比が第１の値である第１の表示モードと、第１の表示モードにおけるよりもその他の領域の面積が縮小され、プレビュー領域の面積が拡大される第２の表示モードとを、ユーザの指示に応じて切替える。
【発明の効果】
【００４５】
本発明によると、第２の表示モードでは、プレビュー領域が拡大される。プレビューされる画像の数が大きくなったりしたときでも、第２の表示モードでは画像の縮小率を大きくしなくてもよい。画像の細部を確認することが容易になる。その結果、ユーザが求めるプレビュー情報および機能設定情報を、ユーザに的確に伝達できる。
【図面の簡単な説明】
【００４６】
【図１】本発明の１実施の形態に係る画像形成装置の外観を示す斜視図である。
【図２】図１に示す画像形成装置の内部構成を簡略化して示す図である。
【図３】図１に示す画像形成装置のハードウェア構成を示すブロック図である。
【図４】本発明の１実施の形態に係る画像形成装置のタッチパネルに表示されるホーム画面を示す図である。
【図５】図１に示す画像形成装置のプレビュー表示におけるタッチパネルの表示領域の分割の態様を示す図である。
【図６】画像形成装置のプレビュー表示におけるフィット・トゥー・スクリーン表示モードにおける表示領域の分割の態様を示す図である。
【図７】画像形成装置のプレビュー表示における仕上がり画像表示モードにおける表示領域の分割の態様を示す図である。
【図８】画像形成装置のプレビュー表示における画像編集モードにおける表示領域の分割の態様を示す図である。
【図９】画像形成装置のプレビュー表示における原稿表示モードにおける表示領域の分割の態様を示す図である。
【図１０】本発明の１実施の形態に係る画像形成装置において、プレビュー表示の際の画面の遷移を示す図である。
【図１１】本発明の実施の形態に係る画像形成装置において、プレビュー表示モードの画面を切替えるために実行されるプログラムの制御構造を示すフローチャートである。
【図１２】本発明の１実施の形態に係る画像形成装置において、原稿読取時の画面表示を説明するための図である。
【発明を実施するための形態】
【００４７】
以下の実施の形態では、同一の部品には同一の参照番号を付してある。それらの機能および名称も同一である。従って、それらについての詳細な説明は繰返さない。
【００４８】
本発明の実施の形態に係る電子機器は、画像処理装置の１種である画像形成装置である。しかし本発明は画像形成装置に限定して適用可能なわけではない。他の装置、例えば画像処理装置または画面を使用する任意の電子機器に対して本発明を適用することが可能である。
【００４９】
以下に説明する画像形成装置１００（図１を参照）は、タッチパネルディスプレイ（以下単に「タッチパネル」と呼ぶ。）を有する。このタッチパネル表面を指先でなぞる操作が「ジェスチャー」である。指先の描く軌跡により様々なジェスチャー操作が定義されている。利用者が画像形成装置１００を操作するときには、ジェスチャー操作方法と、ジェスチャー操作によらないタッチ操作方法との双方を用いることができる。
【００５０】
この画像形成装置は、電子写真方式により記録用紙に画像を形成する。この画像形成装置は、動作モードとして、コピーモード、ＦＡＸモード、ドキュメントファイリングモード（スキャンした画像を画像形成装置内部の記憶装置に記憶するモード）およびメールモード（スキャンした画像を電子メールに添付する形式で送信するモード）を持つ。なお、この画像形成装置は、さらにネットワークプリンタモードを備えていてもよい。しかし、本発明はこれに限定されず、コピーモード、ＦＡＸモード、ドキュメントファイリングモードおよびメールモードの４つの動作モードの中の１つ以上の動作モードを備えた画像形成装置であって、少なくとも１つの動作モードにおいて機能選択メニューとプレビュー情報とをタッチパネルに表示する画像形成装置であればよい。また、印刷方式は電子写真方式に限定されない。
【００５１】
［構成］
図１〜図３を参照して、本発明の実施の形態に係る画像形成装置１００について説明する。
【００５２】
これらの図１〜図３を参照して、画像形成装置１００は、原稿読取部１０２、画像形成部１０４、給紙部１０６、排紙処理装置１０８、および操作ユニット１２０を含む。操作ユニット１２０は、タッチパネルディスプレイ１３０（以下単に「ディスプレイ１３０」と呼ぶ。）と表示操作部１４０とを含む。ディスプレイ１３０は、液晶パネル等からなる表示パネル１３２と、表示パネル１３２に重ねて配置されたタッチパネル１３４とを含む。タッチパネル１３４は、表面に接触したユーザの指の軌跡を検出可能である。表示操作部１４０は、表示灯１４２と、電源キー１４４と、省エネルギキー（以下「省エネキー」と呼ぶ。）１４６と、ディスプレイ１３０の表示をホーム画面に戻すためのホームキー１４８とを含む。ホーム画面については後述するが、種々の動作モードをユーザが選択するための画面のことをいう。
【００５３】
このように本実施の形態に係る画像形成装置１００は、主たる操作デバイスとしてディスプレイ１３０と、ハードウェアキーおよび表示灯により構成される表示操作部１４０とを含む。表示操作部１４０のキー（電源キー１４４、省エネキー１４６、ホームキー１４８）は、ディスプレイ１３０により実現されるソフトウェアボタンと異なり、ハードウェアボタンで実現される。
【００５４】
本実施の形態の特徴は、スキャンした画像をプレビュー表示する画面にある。プレビュー表示は、コピーモード、メールモード、ＦＡＸモードおよびドキュメントファイリングモードでも実行される。これらのいずれでも、プレビュー表示に関する画像形成装置１００の機能は本質的に同じである。したがって以下の説明では、主としてコピーモードを例として画像形成装置１００の概略の構成を説明する。
【００５５】
コピーモードにおいては、主として、原稿読取部１０２および画像形成部１０４が動作する。
【００５６】
画像形成装置１００においては、原稿載置台に置かれた原稿が原稿読取部１０２により画像データとして読取られる。読取られた画像データに各種の画像処理が施され、この画像データが画像形成部１０４へと出力される。
【００５７】
画像形成部１０４は、画像データによって示される原稿の画像を記録媒体（多くの場合、記録用紙）に印刷する。画像形成部１０４は、感光体ドラム２２２、帯電装置２２４、レーザスキャンユニット（以下、「ＬＳＵ」と称する。）２２６、現像装置２２８、転写装置２３０、クリーニング装置２３２、定着装置２３４、および図示しない除電装置等を含む。
【００５８】
画像形成部１０４には、主搬送路２３６および反転搬送路２３８が設けられている。給紙部１０６から給紙されてきた記録用紙が主搬送路２３６に沿って搬送される。給紙部１０６は、用紙カセット２４０に収納された記録用紙、または手差トレイ２４２に載置された記録用紙を１枚ずつ引出して記録用紙を画像形成部１０４の主搬送路２３６へと送り出す。
【００５９】
画像形成部１０４の主搬送路２３６に沿って記録用紙が搬送されている途中で、記録用紙が感光体ドラム２２２と転写装置２３０との間を通過し、さらに定着装置２３４を通過して、記録用紙に対する印刷が行なわれる。
【００６０】
感光体ドラム２２２は、一方向に回転し、その表面は、クリーニング装置２３２と除電装置によりクリーニングされた後、帯電装置２２４により均一に帯電される。
【００６１】
ＬＳＵ２２６は、印刷対象の画像データに基づいてレーザ光を変調し、このレーザ光によって感光体ドラム２２２の表面を主走査方向に繰返し走査して、静電潜像を感光体ドラム２２２の表面に形成する。
【００６２】
現像装置２２８は、トナーを感光体ドラム２２２の表面に供給して静電潜像を現像し、トナー像を感光体ドラム２２２の表面に形成する。
【００６３】
転写装置２３０は、当該転写装置２３０と感光体ドラム２２２との間を通過していく記録用紙に感光体ドラム２２２の表面のトナー像を転写する。
【００６４】
定着装置２３４は、記録用紙を加熱するための加熱ローラ２４８と、記録用紙を加圧するための加圧ローラ２５０とを含む。記録用紙は、加熱ローラ２４８によって加熱され、かつ、加圧ローラ２５０によって加圧されることによって、記録用紙上に転写されたトナー像が記録用紙に定着される。この定着装置２３４へ供給される電力によりヒータを温めて加熱ローラ２４８の温度が定着に適した温度になるように制御されている。なお、省エネモードに移行すると、たとえば、このヒータへ供給される電力が停止されたり削減されたりする。
【００６５】
主搬送路２３６と反転搬送路２３８との接続位置には、分岐爪２４４が配設されている。記録用紙の片面のみに印刷が行なわれる場合は、分岐爪２４４が位置決めされ、この分岐爪２４４により定着装置２３４からの記録用紙が排紙トレイ２４６または排紙処理装置１０８の方へと導かれる。
【００６６】
記録用紙の両面に印刷が行なわれる場合は、分岐爪２４４が所定方向に回動されて記録用紙が反転搬送路２３８の方へと導かれる。記録用紙は、反転搬送路２３８を通過して、その表裏を反転されて主搬送路２３６へと再び搬送され、主搬送路２３６の再度の搬送途中で、その裏面への印刷が行なわれて排紙トレイ２４６または排紙処理装置１０８の方へと導かれる。
【００６７】
上述のようにして印刷された記録用紙は、排紙トレイ２４６または排紙処理装置１０８の方へと導かれて排紙トレイ２４６に排出され、または排紙処理装置１０８の各排紙トレイ１１０のいずれかに排出される。
【００６８】
排紙処理装置１０８では、複数の記録用紙を各排紙トレイ１１０に仕分けして排出する処理、各記録用紙にパンチングする処理、および各記録用紙にステープルする処理を施す。たとえば、複数部の印刷物を作成する場合は、各排紙トレイ１１０に印刷物の一部ずつが割当てられるように、各記録用紙を各排紙トレイ１１０に仕分けして排出し、排紙トレイ１１０毎に、排紙トレイ１１０上の各記録用紙にパンチング処理またはステープル処理を施して印刷物を作成する。
【００６９】
図３を参照して、画像形成装置１００はさらに、コピーモード、ファクシミリモード、ドキュメントファイリングモード、およびメールモードに関する機能の設定が可能な操作ユニット１２０と、プログラム等を記憶するためのＲＯＭ（Ｒｅａｄ  Ｏｎｌｙ  Ｍｅｍｏｒｙ）３０６と、通電が遮断された場合であってもプログラムおよびデータ等を記憶可能な不揮発性記憶領域であるハードディスク３０２と、プログラムを実行する際の記憶領域を提供するためのＲＡＭ（Ｒａｎｄｏｍ  Ａｃｃｅｓｓ  Ｍｅｍｏｒｙ）３０８とを含む。
【００７０】
画像形成装置１００はさらに、原稿読取部１０２、画像形成部１０４、ＦＡＸ通信部１６０、操作ユニット１２０、ＲＯＭ３０６、ハードディスク３０２、およびＲＡＭ３０８に接続されるバス３１０と、バス３１０に接続された、画像形成装置としての一般的機能を実現するためのＣＰＵ（Ｃｅｎｔｒａｌ  Ｐｒｏｃｅｓｓｉｎｇ  Ｕｎｉｔ）３００とを含む。
【００７１】
ハードディスク３０２には、この画像形成装置１００でスキャンした原稿の画像データのファイルが、フォルダ別に、保存日時および保存ユーザ名ととともに記憶される。
【００７２】
ＲＯＭ３０６には、画像形成装置１００の動作を制御するのに必要なプログラムおよびデータ等が記憶されている。ＣＰＵ３００は、ＲＯＭ３０６に格納されているプログラムおよびデータに従って画像形成装置１００の制御を行なうとともに画像形成装置１００の各機能に関する制御を実行する。
【００７３】
図３に示すように、ＦＡＸ通信部１６０には、画像データの送受信用に公衆回線が接続され、ネットワークインターフェイス３０４にはネットワーク回線が接続されている。このネットワーク回線には、この画像形成装置１００をネットワーク対応のプリンタとして使用するコンピュータ等が接続されたり、インターネットを介して指定されたＵＲＬ（Ｕｎｉｆｏｒｍ  Ｒｅｓｏｕｒｃｅ  Ｌｏｃａｔｏｒ）により特定されるコンピュータ等が接続されたりする。このようにインターネットに接続されると、画像形成装置１００は、インターネットを介して、必要な情報を取得できる。
【００７４】
ＲＡＭ３０８は、ＣＰＵ３００による演算および処理の結果を一時的に記憶するワーキングメモリとしての機能と、画像データを記憶するフレームメモリとしての機能とを提供する。
【００７５】
原稿読取部１０２、画像形成部１０４、操作ユニット１２０を構成するディスプレイ１３０および表示操作部１４０、ならびにＲＯＭ３０６、ハードディスク３０２、およびＲＡＭ３０８に対する制御は、ＣＰＵ３００が所定のプログラムを実行することにより行なわれる。なお、操作ユニット１２０は、入出力インターフェイスを介してＣＰＵ３００と通信する。
【００７６】
操作ユニット１２０は、ユーザが目視しやすいように傾斜して設けられた板状のパネルで構成される。操作ユニット１２０の表面には、その左側の領域にディスプレイ１３０が、右側の領域に表示操作部１４０（表示灯１４２ならびにハードウェアボタンである電源キー１４４、省エネキー１４６およびホームキー１４８）が、それぞれ備えられている。ディスプレイ１３０および表示操作部１４０は、操作ユニット１２０が全体として一体となるように構成されている。
【００７７】
上述したように、このディスプレイ１３０は、表示パネル１３２と、表示パネル１３２に重ねて配置されたタッチパネル１３４とで構成される。このディスプレイ１３０においては、表示パネル１３２に、この画像形成装置１００における動作モードを選択するホーム画面、この画像形成装置１００の現在の状態、宛先指定状況、ジョブの処理状況等が表示される。表示パネル１３２の表示領域上にはソフトウェアボタンである選択ボタンが表示され、この選択ボタンの表示されている領域を指で押すと、タッチパネル１３４がその押された位置を検出し、その位置を示す情報を出力する。プログラム上で、選択ボタンの表示位置とタッチパネル１３４の出力とを照合することにより、画像形成装置１００の動作モード選択、機能設定および動作指示等が行なわれる。この画像形成装置１００は、このようなタッチ操作（ユーザによる押圧位置に基づくコマンド入力操作）に加えて、上述したジェスチャー操作（ユーザによる操作軌跡に基づくコマンド入力操作）にも対応している。
【００７８】
表示操作部１４０の表示灯１４２は、たとえばＬＥＤ（Ｌｉｇｈｔ  Ｅｍｉｔｔｉｎｇ  Ｄｉｏｄｅ）で構成され、ＣＰＵ３００により点灯／消灯（／点滅）が制御される。主電源スイッチとは別に設けられた電源キー１４４をユーザが押下すると、この画像形成装置１００が待機モード（たとえば主電源がオンの状態でＦＡＸ受信動作のみ可能）から通常モードへ移行して、この画像形成装置１００の全ての動作モードが使用できるようになる。この状態に連動して表示灯１４２が点灯する。さらに、ユーザが操作しない時間が予め定められた時間を経過したり、省エネキー１４６をユーザが押下したりすると、この画像形成装置１００が通常モードから省エネモードへ移行して、この画像形成装置１００の一部の動作モードしか使用できないようになる。この状態に連動して表示灯１４２が点滅する。さらに、この省エネモードのときに、省エネキー１４６をユーザが押下すると、この画像形成装置１００が省エネモードから通常モードへ移行する。ホームキー１４８は、ディスプレイ１３０の表示を初期状態（ホーム画面）へ戻すためのハードウェアキーである。
【００７９】
なお、表示操作部１４０のハードウェアボタン（電源キー１４４、省エネキー１４６およびホームキー１４８）には、ＣＰＵ３００により点灯／消灯（／点滅）が制御されるキーランプを埋め込むようにしても構わない。たとえば、このキーランプは、円型のキーの周囲をリング状に光らせたり、キーの中央部を光らせたりする。操作デバイスとしてハードウェアボタンを使用することが許可されているタイミングで（ハードウェアボタンを使用すると処理が実行されるタイミングで）、このキーランプが点灯する。
【００８０】
本実施の形態に係る画像形成装置１００においては、上述した４つの動作モード（コピーモード、ファクスモード、ドキュメントファイリングモードおよびメールモード）を備える。ディスプレイ１３０には、それぞれの動作モードにおける機能設定用のソフトウェアボタンと、必要に応じて、画像形成イメージであるプレビューまたは宛先設定用のボタン等が表示される。
【００８１】
この画像形成装置１００においては、ディスプレイ１３０のホーム画面において動作モードを選択すると、各動作モードの初期画面が表示される。コピーモードのプレビュー画面では、（１）画面が５つの領域（「システム領域」、「機能選択領域」、「プレビュー領域」、「アクションパネル領域」、「タスクトリガー領域」）に分割されている。これらが適切に配置されているため、従来機と同じようなユーザの視点の動線および指先の動線が実現される。そのためユーザは容易に操作できる。（２）異なるプレビュー表示モードであっても５つの領域にそれぞれ割当てられる機能は同じものである。表示モードが異なってもユーザが混乱することがない。（３）「機能選択領域」の大きさを表示モードによって変更する。これと連動して「プレビュー領域」の大きさも変更される。機能設定情報およびプレビュー情報をユーザに的確に伝達することができる。（４）「プレビュー領域」を中央にして「機能選択領域」と「アクションパネル領域」および「タスクトリガー領域」とを互いに反対側に配置してある。その結果、一方側に配置された領域（「機能選択領域」）で機能を選択し、中央に配置された領域で選択された機能による処理をプレビューで確認して、他方側に配置された領域（「アクションパネル領域」および「タスクトリガー領域」）で処理の実行を要求することが可能である。すなわち、処理に伴う目の動きと手の動きとが直線的となり、円滑に操作することができる。
【００８２】
図４を参照して、ホーム画面３３０は、上述したシステム領域に対応するホームシステム領域３４０と、アイコン表示領域３５０と、アイコン表示切換タブボタン３５２と、メモ表示領域３５４とを含む。
【００８３】
ホームシステム領域３４０には、ホーム画面を示すアイコンが表示されるエリア３４２、表示されている画面の名称が表示されるエリア３４４、ログインユーザ名が表示されるエリア３４６、及びログアウトボタン（ソフトウェアボタン）が表示されるエリア３４８が配置されている。ホームシステム領域３４０の右端には、現在時刻が表示されるエリアが配置される。
【００８４】
アイコン表示領域３５０には、本実施の形態では、動作モードを表すアイコンがその動作モードの名称または略称とともに表示される。本実施の形態においては、コピーモードを選択するためのアイコン３７２、ファクスモードを選択するためのアイコン３６２、ドキュメントファイリングモードを選択するためのアイコン３７０、メールモードを選択するためのアイコン３６０が、アイコン表示領域３５０に表示される。図４には、これら以外の処理を選択するためのアイコンも示してある。これらアイコンは、たとえばシステム設定処理を起動するアイコン、言語の設定処理を起動するためのアイコン、ジョブ状況を表示させるためのアイコンなどを含む。
【００８５】
図４に示すように、アイコン表示領域３５０においては、アイコンが上下左右に３段７行のマトリクス状に配列される。アイコン表示領域３５０の中央よりに配置されたアイコンは、周辺側に配置されたアイコンよりも大きく表示される。
【００８６】
アイコン表示領域３５０をユーザが左にフリック操作すると、画面に表示されるアイコンが、矢印３３２で示す方向へ流れるように移動する。ユーザがアイコン表示領域３５０を右にフリック操作すると、画面に表示されるアイコンが矢印３３４で示す方向へ流れるように移動する。本実施の形態では、このときの画面の移動量は、フリック操作における指先の移動量及びその速度により定める。指先の移動速度が等しければ、移動量が大きいほどアイコンの移動量は大きくなる。指先の移動量が等しければ、移動速度が大きいほどアイコンの移動量は大きくなる。画面の移動の初速度は、指先の移動速度とほぼ等しくすることが好ましい。このアイコン表示領域３５０のアイコンは、仮想的な円筒の側面に配置されたように移動することが想定されている。すなわち、画面を右側に繰返し移動させると、円筒を回転させたときのように、同じ画面が繰返し表示される。
【００８７】
メモ表示領域３５４には、この画像形成装置１００のユーザ全般に知らせたいメンテナンス情報等が表示される。
【００８８】
［コピー基本画面のレイアウト］
図５に、ディスプレイ１３０における、コピーモード動作時の基本レイアウト（これを「コピー基本画面」と呼ぶ。）を示す。コピー基本画面は、コピーモードが選択されたときに最初に表示される画面である。本実施の形態の１つの特徴は、コピー基本画面を含め、基本的に全ての画面においてプレビューが可能なことである。同様の画像のプレビューは、例えばファクス送信、メールによる画像送信、画像のファイリングなどのときにも、選択可能である。これら動作モードのいずれにおいても、プレビュー表示に関する基本的な画面構成は同様である。したがって以下の説明ではコピー基本画面についてのみ説明する。
【００８９】
図５を参照して、ここでは横長のディスプレイ１３０（たとえば、横１０２４ピクセル×縦６００ピクセル）を想定する。最上部にはシステム領域４００が配置される。画面中央部にはプレビュー領域４８０が配置される。プレビュー領域４８０の左側には、機能の設定及び機能の内容の確認をするための機能選択領域４１０が配置される。プレビュー領域４８０の右上側にはアクションパネル領域４８２が配置される。プレビュー領域４８０の右下側にはタスクトリガー領域４８４が配置される。これら領域は、後述するようにプレビュー表示モードに応じてその大きさを変化させる。
【００９０】
システム領域４００には、この画像形成装置１００の現時点での状態が表示され、操作中の動作モードのタイトル、画像形成装置１００の状況・状態が表示される。たとえば、システム領域４００には、動作モード名、割込みキー、ログインユーザ名、処理中のジョブ状況、内蔵メモリ使用状態、時刻等が表示される。
【００９１】
機能選択領域４１０には、各機能の設定、表示の切替、設定の確認のためにユーザにより操作される機能選択メニュー（アイコン、ボタン、設定項目画面、機能一覧画面等）が表示される。これらは、原稿の画像データに対して行なうデータ変換、タスク実行時の条件などを設定するためのものである。
【００９２】
プレビュー領域４８０には、原稿の出力（仕上がり）イメージが表示される。ユーザが仕上がりを指示する毎にプレビュー領域４８０に表示されているイメージが変更される。
【００９３】
プレビュー領域４８０は、その下部にプレビュー領域４８０の表示スタイルを変更するプレビュー変更ボタン群４５０を備える。プレビュー変更ボタン群４５０には、プレビューを所望の角度だけ回転させるための回転ボタン４５８、プレビュー画像の拡大及び縮小のためのズームバー４６０、後述する原稿表示モードへの変更を指示する原稿表示モードボタン４５２、仕上がりプレビュー画面への変更を指示する仕上がりプレビューボタン４５４、及びフィット・トゥー・スクリーンモードへの変更を指示するフィット・トゥー・スクリーンボタン４５６が配置されている。プレビュー領域４８０の右上には、原稿を編集することが可能な画像編集モードへの変更を指示する画像編集ボタン４６８が配置されている。画像編集モードについては後述する。
【００９４】
回転ボタン４５８をタッチ操作するとプレビューの回転角度を指定するダイアログが表示される。所望の角度を指定するとプレビュー領域に表示されたプレビュー画像がその角度だけ回転される。プレビュー画像に対し、ジェスチャー操作を行なってもプレビューを回転させることができる。例えばプレビュー画像の上に２本の指を当て、指先を回転させると、プレビュー画像が指の回転方向に沿って、指の移動量に従って定まる角度だけ回転する。
【００９５】
ズームバー４６０は、プレピュー画像を所定の拡大率で拡大して表示することを指示するプラスボタン４６２と、所定の縮小率で縮小して表示することを指示するマイナスボタン４６４と、任意の倍率でプレビュー画像の表示を拡大させたり縮小させたりするためのバー４６６とを含む。プラスボタン４６２をタッチ操作したり、バー４６６をプラスボタン４６２側へジェスチャー操作（スライド）したりすると、プレビューが拡大される。マイナスボタン４６４をタッチ操作したり、バー４６６をマイナスボタン４６４側へスライドさせたりすると、プレビュー画像が縮小して表示される。プレビュー画像をピンチアウト／ピンチオープンするとプレビューが拡大して表示される。プレビュー画像をピンチイン／ピンチクローズするとプレビュー画像が縮小して表示される。
【００９６】
プレビュー領域４８０に表示される原稿イメージのページ数が多い場合には、ページ選択ボタン（ページ番号入力ボタン、ページ送りボタン、ページ戻しボタン、単ページ表示ボタン、複数ページ表示ボタン等）を表示する。プレビュー領域４８０に表示された原稿イメージをフリックすると、原稿のページ送り及びページ戻しを行なえる。プレビュー領域４８０に表示される原稿イメージが大きい場合には、タッチ操作またはジェスチャー操作可能なスクロールバーを表示する。
【００９７】
アクションパネル領域４８２には、操作についての補助・助言・提案についての情報が表示される。たとえば、あるユーザが特定の機能を選択すると、アクションパネル領域４８２にはその機能に関連する機能が表示される。その機能と共通する目的のために他の機能を表示したりしてもよい。このユーザまたはこのユーザが所属するグループのユーザが、このユーザにより選択された機能と過去に組み合わせて選択した機能を「おすすめ機能」として表示したりしてもよい。
【００９８】
アクションパネル領域４８２の左側には、アクションパネル領域４８２を縮小表示させるときにユーザが操作するアクションパネル縮小ボタン４８６が表示される。アクションパネル縮小ボタン４８６を押すと、後述するようにアクションパネル領域４８２が縮小表示されて画面の右側にボタン形式で表示される。このボタンを押すと再度アクションパネル領域４８２が拡大して表示される。すなわち、ユーザがボタンを押すことでアクションパネル領域４８２を縮小又は拡大させることができる。それに伴い、プレビュー領域４８０は拡大又は縮小される。プレビュー画像の確認と、操作ヒントの確認とを、ユーザの意思に基づいて容易に行なうことができる。
【００９９】
タスクトリガー領域４８４には、画像形成装置１００にある処理を開始させるためのトリガーとなる項目（ソフトウェアボタン）が表示される。これら項目が表示されるのは、ある動作モードにおける全ての設定が完了して、画像形成装置１００を実際に動作させることが可能になったときである。たとえば、タスクトリガー領域４８４には、スキャン開始ボタン（図６以降では「ＳＣＡＮ  ＩＮ」ボタン）、モノクロコピー開始ボタン（ＭＯＮＯ  ＳＴＡＲＴ）、カラーコピー開始ボタン（ＣＯＬＯＲ  ＳＴＡＲＴ）、及びクリアーオールボタン（ＣＡ）が表示される。スキャン開始ボタンは、コピー、ＦＡＸ送信などにおいて、原稿を一旦読込んでプレビューする処理を開始させるためのボタンである。モノクロコピー開始ボタンは、原稿を読込んで直ちに記録用紙上にそのモノクロ画像を形成する処理を開始させるためのボタンである。カラーコピー開始ボタンは、同様に直ちに原稿のカラー画像を形成する処理を開始させるボタンである。クリアーオールボタンは、入力された情報を全てクリアさせるためのボタンである。
【０１００】
本実施の形態では、これらの５領域は、プレビューの表示モードが変更されても、その配置された位置が変更されることはない。ただし、機能選択領域４１０、プレビュー領域４８０、アクションパネル領域４８２、タスクトリガー領域４８４は、表示モードに応じてディスプレイ１３０の画面横方向（長手方向）のサイズを変化させる。これは、プレビューが見やすく、かつ操作も確実で簡単にできるように、という目的のためである。
【０１０１】
このような５領域の配置は、従来機におけるユーザインターフェイスをも考慮しつつ、ユーザの視点の動線および操作の動線に着目して配置されている。このような配置により、ディスプレイ１３０において、左上から右下へユーザの視線が動いて、左上から右下へユーザの操作（利き手の指先）が動く。これにより、ユーザフレンドリーな操作が可能という効果を得ることができる。
【０１０２】
［各表示モードでの表示レイアウト］
以下、プレビューを用いた表示モードでの画面構成について説明する。なお、いずれの画面でも、プレビュー領域４８０、機能選択領域４１０、アクションパネル領域４８２、及びタスクトリガー領域４８４の配置される位置は基本的には同じである。ただし、それらの幅（ディスプレイ１３０の長手方向の長さ）が、画面により変化する。また、それらの幅の変化に伴い、それらの内部に表示される要素も変化する。これらの表示モードがどのように遷移するかについては後述する。
【０１０３】
（１）フィット・トゥー・スクリーン
図６を参照して、フィット・トゥー・スクリーン画面５００は、例えばスキャンイン操作が完了したときに読込んだ画像を表示するときに使用される。中央にはプレビュー領域４８０が配置される。ここには、１ページ分の原稿のプレビュー画像５０２がこのプレビュー領域４８０内でできるだけ大きくなるように表示される。プレビュー領域４８０の左側には機能選択領域４１０が配置される。機能選択領域４１０には、機能アイコン群５１２と、各機能アイコンの機能を説明するテキスト群５１４とが表示される。プレビュー領域４８０の右側の上部には、アクションパネル領域４８２が配置される。その下にはタスクトリガー領域４８４が配置される。
【０１０４】
機能選択領域４１０の右端を左側にフリックすると、機能選択領域４１０が画面左側に縮小表示され、機能アイコン群５１２のみが表示される。テキスト群５１４は消去される。この状態でも、機能選択のための機能アイコン群５１２が表示されているため、ユーザは各機能について意識することができる。その結果、機能を選択する際にユーザが混乱する危険性を小さくできる。
【０１０５】
さらに機能選択領域４１０の右端を右側にフリックすると、機能選択領域４１０が右側に引き出される。このとき、機能選択領域４１０の背景は半透明となり、ユーザはプレビュー領域４８０の画像を見ることができる。機能を選択するときにも、プレビュー画像の全体を確認できる。ユーザは容易に適切な機能を選択できる。
【０１０６】
アクションパネル縮小ボタン４８６を押すとアクションパネル領域４８２は右側に縮小され、図８に示すアクションパネル表示ボタン５２２が表示される。アクションパネル表示ボタン５２２を押すとアクションパネル領域４８２が左側に展開表示される。これは他の画面でも同様である。
【０１０７】
（２）仕上がりプレビュー
図７を参照して、仕上がりプレピュー画面５１０では、機能選択領域４１０が左側に縮小表示される。機能選択領域４１０の内部には機能アイコン群５１２のみが表示される。テキスト群５１４は表示されない。アクションパネル領域４８２及びタスクトリガー領域４８４はフィット・トゥー・スクリーン画面５００と同様である。機能選択領域４１０の幅が縮小した分だけプレビュー領域４８０の横幅が大きくなっている。そのため、仕上がりプレビューのように多数の画像をプレビュー領域４８０の内部に配置したときに全体の構成が分かりやすくなる。中央に配置された画像も、その内容が十分に確認できる程度に大きく表示される。
【０１０８】
仕上がりプレビューでは、機能アイコン群５１２のみが表示され、テキスト群５１４は表示されない。しかし機能アイコン群５１２の右端を右側にフリックすると、機能アイコン群５１２から機能選択領域４１０が右側に展開して表示される。展開後は、機能アイコン群５１２の右側にテキスト群５１４が表示され、フィット・トゥー・スクリーン画面５００と同様になる。ただし、機能選択領域４１０半透明となる。機能選択領域４１０を通して、その下のプレビュー領域４８０の画像を見ることができる。機能選択領域４１０が展開された後、機能アイコン又はテキストが操作されることなく所定時間が経過すると、機能選択領域４１０は再び縮小され、機能アイコン群５１２のみの表示に戻る。ユーザにより選択された機能の実行が完了したときにも、機能選択領域４１０は縮小され、機能アイコン群５１２のみの表示に戻る。
【０１０９】
（３）画像編集モード
画像編集モードでは、単に画像が表示されるだけではなく、白紙ページの挿入、画像の一部領域の消去、などの処理を行なうことができる。図８を参照して、画像編集モード画面５２０では、仕上がりプレピュー画面５１０におけると同様、機能選択領域４１０が左側に縮小表示される。機能選択領域４１０には機能アイコン群５１２のみが表示される。しかし、画像編集モード画面５２０では、仕上がりプレピュー画面５１０と異なり、仕上がりプレピュー画面５１０のアクションパネル領域４８２は右側に折りたたまれ、代わりにアクションパネル表示ボタン５２２が表示される。アクションパネル表示ボタン５２２を押すとアクションパネル領域４８２が展開され表示される。この場合も、アクションパネル領域４８２は半透明表示となり、下側のプレビュー領域４８０の表示を確認できる。アクションパネル領域４８２に対する操作がされることなく所定時間が経過するとアクションパネル領域４８２は再び折りたたまれ、アクションパネル表示ボタン５２２に置き換えられる。同様に、縮小表示されたタスクトリガー領域４８４の左端を左側にフリックするとタスクトリガー領域４８４が通常の大きさに拡大される。このときのタスクトリガー領域４８４の背景も半透明とされる。タスクトリガー領域４８４が表示されているときには、タスクトリガー領域４８４内のボタンを操作することができる。タスクトリガー領域４８４が表示された後、何も指示されることなく所定時間が経過すると、タスクトリガー領域４８４は縮小表示される。
【０１１０】
画像編集モードでは、タスクトリガー領域４８４も右側に縮小される。この場合、タスクトリガー領域４８４のボタンの一部しか見ることができない。画像編集モードでは、ページ画像の編集を行なうことが優先であり、したがってタスクトリガー領域４８４をこのように縮小表示しても問題はない。
【０１１１】
画像編集モードでは、機能選択領域４１０、アクションパネル領域４８２及びタスクトリガー領域４８４の幅が縮小される。ディスプレイ１３０の表示領域の大部分をプレビュー領域４８０として使用できる。そのため、画像の編集と、編集後の画像の確認とを容易に行なうことができる。
【０１１２】
画像編集モードでは、縮小されているとはいえ、アクションパネル領域４８２に代えてアクションパネル表示ボタン５２２が画面右上に、タスクトリガー領域４８４が画面右下に、それぞれ表示される。画像編集をしているときにも、ユーザはこれら領域の存在位置が分かるので、画像編集を安心して行なえる。
【０１１３】
（４）原稿表示モード
図９を参照して、原稿表示モード画面５３０は、読込まれた複数のページ画像がマトリクス状にプレビュー領域４８０に配置される。機能選択領域４１０は縮小され機能アイコン群５１２のみが表示される。アクションパネル領域４８２及びタスクトリガー領域４８４はフィット・トゥー・スクリーン画面５００と同様、通常の表示となる。プレビュー領域４８０の面積は、フィット・トゥー・スクリーン画面５００におけるその面積より大きくなり、多数のページを表示できる。本実施の形態では、複数の画像はプレビュー領域４８０の横幅に合わせて配列される。画像が多く、その一部が表示できないときには、プレビュー領域４８０の右端にスクロールバー５３２が表示される。スクロールバー５３２を操作することで、プレビュー領域４８０に表示される画像を上下に移動させることができる。画面を上下にフリックしても画像を上下に移動させることができる。
【０１１４】
［画面遷移］
図１０を参照して、フィット・トゥー・スクリーン画面５００、仕上がりプレピュー画面５１０、画像編集モード画面５２０、及び原稿表示モード画面５３０のどの画面からも、他の任意の画面に表示を遷移させることができる。この遷移は、画面に表示されるボタンに対するタッチ操作、及び予め定義されたジェスチャー操作のいずれかによって行なうことができる。以下では、ボタンに対するタッチ操作についてまとめる。これらボタンと同じ機能を起動するジェスチャー操作（例えばダブルタップ、トリプルタップ、Ｚ型ジェスチャー、Ｖ型ジェスチャー等、任意のジェスチャーに以下のようなボタンと同じ機能を割当てることができる。
【０１１５】
（１）いずれの画面でも、フィット・トゥー・スクリーンボタン４５６をタッチ操作すると、図６のフィット・トゥー・スクリーン画面５００に移行する。このときプレビュー領域４８０には、フォーカスが当たっていた原稿ページのプレビュー画像が表示される。
【０１１６】
（２）いずれの画面でも、仕上がりプレビューボタン４５４を操作すると、図７に示す仕上がりプレピュー画面５１０に遷移する。仕上がりプレピュー画面では、ユーザによる設定にしたがって処理された後の原稿画像が生成され、プレビュー領域４８０に表示される。例えば図７には、２ｉｎ１の集約と両面印刷とが指定されたときの仕上がりプレビュー画像が示されている。
【０１１７】
（３）いずれの画面でも、画像編集ボタン４６８を押すと、図８に示す画像編集モード画面５２０に遷移する。画像編集モード画面５２０では、画像編集ボタン４６８の隣に画像編集のためのボタンが表示される。またプレビュー領域４８０の左下部分には、ゴミ箱のアイコン（ゴミ箱アイコン）４７０が表示される。原稿画像のうち任意のページの画像をゴミ箱アイコン４７０にドラッグ・アンド・ドロップすると、そのページの画像が原稿から削除される。
【０１１８】
（４）いずれの画面でも、原稿表示モードボタン４５２を押すと、画面は図９に示す原稿表示モード画面５３０に移行する。スキャンした原稿がマトリクス形式で表示される。原稿を全て表示することができないときにはスクロールバー５３２が表示される。
【０１１９】
以上の画面遷移から分かるように、フィット・トゥー・スクリーン画面５００におけるプレビュー領域４８０とその他の領域との面積比と、仕上がりプレピュー画面５１０、画像編集モード画面５２０又は原稿表示モード画面５３０におけるプレビュー領域４８０とその他の領域との面積比とは異なっている。後者の方が、前者よりも大きい。面積比が大きい場合、画像の細部まで確認することが容易になる。プレビュー画像の数が多くなっても縮小率を大きくする必要はない。
【０１２０】
仕上がりプレピュー画面５１０、画像編集モード画面５２０及び原稿表示モード画面５３０のいずれにおいても、プレビュー領域４８０以外の領域のいずれかがが縮小表示される。縮小表示される領域は、その中心が、フィット・トゥー・スクリーン画面５００のときのその領域内部から外部に出ないような位置である。ここで「中心」とは、領域を２次元図形とかんがえたとき、その重心に相当する点のことをいう。利用者は、これら領域が縮小表示されても、その位置に大きな変化が無いため、操作において混乱するおそれは少ない。
【０１２１】
一方、いずれの画面でもプレビュー領域４８０は、ディスプレイ１３０の表示面の中心点を含むような位置に配置される。すなわちプレビュー領域４８０は、その他の領域から見るとディスプレイ１３０の中心部に近い位置に配置される。いずれの画面でも、プレビュー領域４８０の面積は、それ以外の領域のいずれの面積よりも大きくなっている。こうした配置のため、プレビュー画像の確認が容易になる。
【０１２２】
［ソフトウェア構成］
図１１を参照して、画像形成装置１００のＣＰＵ３００で実行されるプログラムの制御構造について説明する。なお、画像形成装置１００のＣＰＵ３００は、このようなプログラムと並行して、画像形成装置としての一般的機能を実現するプログラムを実行する。しかし、そのプログラムは、本発明の本質的部分とは直接関係するものではないので、その詳細についてはここでは説明しない。
【０１２３】
図１１を参照して、ステップ６００において、ＣＰＵ３００は、画像形成装置１００の電源が投入されるまで待機する。電源キー１４４が押下されると、画像形成装置１００の電源が投入されたと判定する。電源が投入されると制御はステップ６０２に進む。
【０１２４】
ステップ６０２にて、ＣＰＵ３００は、ディスプレイ１３０にウォームアップ画面を表示する。これと並行して、システムチェック処理、ヒータへ通電して加熱ローラ２４８を昇温させる処理などが実行される。続くステップ６０４にて、ＣＰＵ３００は、ウォームアップが完了するまで待機する。ウォームアップが完了すると制御はステップ６０６に進む。
【０１２５】
ステップ６０６において、ＣＰＵ３００は、ユーザのログインを待ってディスプレイ１３０にホーム画面を表示する。続いてステップ６０８において、ＣＰＵ３００は、動作モードが選択されたか否かを判定する。動作モードは、たとえば、ホーム画面に表示されたアイコンを操作することにより選択される。動作モードが選択されると（ステップ６０８の判定が肯定）、制御はステップ６１０に進む。さもなければ制御はステップ６０６に戻る。
【０１２６】
ステップ６１０において、ＣＰＵ３００は、選択された動作モードの初期画面データをハードディスク３０２から読出す。ステップ６１２でこの初期画面をディスプレイ１３０に表示する。その後、図示はしていないが、たとえば何も処理が選択されずに所定の時間が経過したりすると、制御はステップ６０６へ戻る。
【０１２７】
ステップ６１２の後、ステップ６１４において、ＣＰＵ３００は、ユーザから何らかの要求の入力があったか否かを判定する。結果が肯定であれば制御はステップ６１６に進む。さもないと制御はステップ６１８に進む。
【０１２８】
ステップ６１６では、ＣＰＵ３００は、画像形成装置１００の各機能部を用い、ユーザにより要求された処理を実行する。その後、制御はステップ６１２に戻る。
【０１２９】
ステップ６１４の判定結果が否定であれば、ステップ６１８においてＣＰＵ３００は、ホームキー１４８が押下されたか否かを判定する。結果が肯定であれば制御はステップ６０６に戻る。さもないと制御はステップ６２０に進む。
【０１３０】
ステップ６２０では、ユーザにより動作モードの変更要求があったか否かが判定される。判定が肯定なら制御はステップ６１０に進み、変更要求にしたがって新たな動作モードの初期画面データが読み出され、ステップ６１２でディスプレイ１３０に表示される。結果が否定なら制御はステップ６２２に進む。
【０１３１】
ステップ６２２では、現在の動作モードが、コピーモード、ＦＡＸ送信モード、画像ファイリングモードなどにおけるスキャンインモードか否かを判定する。結果が肯定なら制御はステップ６２４に進み、さもなければ制御はステップ６３０に戻る。
【０１３２】
ステップ６２４では、ユーザにより表示モードの変更要求があったか否かが判定される。具体的には、図６−図９に示す原稿表示モードボタン４５２、仕上がりプレビューボタン４５４、フィット・トゥー・スクリーンボタン４５６、及び画像編集ボタン４６８のいずれかが押されたか否か、又はそれらと同じ機能が割当てられたジェスチャー操作があったか否かを判定する。結果が肯定なら制御はステップ６２６に進み、さもなければ制御はステップ６３０に進む。
【０１３３】
ステップ６２４での結果が肯定であれば、ステップ６２６で変更先の表示モードが決定される。どの画面に変更するかは、図１０に示すとおり、どのボタンが押されたか、またはどのようなジェスチャー操作が行なわれたかによって決まる。この後、決定された画面にしたがって、ステップ６２８で表示画面の更新が行なわれる。ステップ６２８の後、制御はステップ６１４に戻る。
【０１３４】
ステップ６２４での判定が否定であれば、ステップ６３０で、ユーザにより要求された処理を実行し、ステップ６３２で処理後の結果により、現在の動作モード及び表示モードにしたがった画面を表示する。この後制御はステップ６１４に戻る。
【０１３５】
ステップ６１６においてユーザにより入力される要求には、機能選択領域４１０の表示モードの変更、機能選択領域４１０での機能設定、プレビュー領域４８０におけるプレビューの表示態様の変更等の、画像形成装置１００が実際に印刷しないで印刷前の要求も含まれる。このような印刷前の処理が要求された場合には、その要求をステップ６１６にて実行して、さらなる要求の入力（最終的には印刷要求）を待つために、ステップ６１６の後、処理をステップ６１２へ戻すことになる。
【０１３６】
［動作］
画像形成装置１００は以下のように動作する。なお以下の説明では、主として図１１を参照する。
【０１３７】
−ホーム画面表示動作−
【０１３８】
ユーザが画像形成装置１００の電源キー１４４（図１及び図３）を押下する。ステップ６００の判定が肯定となる。画像形成装置１００はウォームアップを開始する。ウォームアップが完了するまでの間、ディスプレイ１３０にウォームアップ画面が表示される（ステップ６０２）。ウォームアップ画面として、画像形成装置１００がシステムチェック中でも表示できる情報をディスプレイ１３０に表示することが好ましい。
【０１３９】
ウォームアップが完了し、ユーザのログインがあると、ディスプレイ１３０に図４に示すホーム画面３３０が表示される（ステップ６０６）。プレビュー表示は、コピーモード、メールモード、ＦＡＸモードおよびドキュメントファイリングモードでも実行される。これらのいずれでも、プレビュー表示に関する画像形成装置１００の動作は本質的に同じである。したがって以下の説明では、コピーモードにおける画像形成装置１００の動作のみを説明する。
【０１４０】
コピーモードを選択する場合、ユーザは、図４に示すホーム画面において、アイコン３７２を操作する。本実施の形態ではアイコン３７２がタッチ操作、タップ操作又はダブルタップ操作されると、コピーモードが選択されたと判定される（ステップ６０８）。ＣＰＵ３００は、ハードディスク３０２等からコピー初期画面データを読み出す（ステップ６１０）。このデータを用いてディスプレイ１３０にコピーモードの初期画面が表示される（ステップ６１２）。このとき、ディスプレイ１３０に表示されるのは、図５に示すコピーモード初期画面である。画像の読み込みはされていないので、プレビュー領域４８０には何も表示されない。
【０１４１】
ここでのユーザの選択する動作（タスク）には大きく分けて３種類ある。１番目はダイレクトに白黒コピーをとるというタスクである。２番目はダイレクトにカラーコピーをとるというタスクである。３番目はコピーのために、原稿の画像を読込んで画像形成装置１００内に蓄積するスキャンイン操作というタスクである。これらはいずれもタスクトリガー領域４８４の中に表示されるＵＩ（ユーザーインターフェース）要素である適切なボタンを押すことにより開始される。１番目及び２番目は従来のコピー機で行なわれるものと実質的に同じ処理である。プレビュー表示は３番目のスキャンイン処理のときに行なわれる。したがってここではスキャンイン操作が実行されるときの画像形成装置１００の動作についてのみ説明する。なお以下の説明では、代表的な場合として複数ページの原稿を画像形成装置１００によってコピーする場合の画像形成装置１００の動作を説明する。
【０１４２】
スキャンインボタンが押されるとステップ６１４の判定が肯定となる。ステップ６１６で原稿読取部１０２を使用した原稿の読み取りと、ハードディスク３０２への蓄積とが実行される。制御はステップ６１２に戻る。図１２を参照して、原稿の読取時には、ディスプレイ１３０に、画面６５０が表示される。画面６５０において、ライン６６４の右側領域には、読取途中の画像データに基づく画像６６０が表示され、ライン６６４の左側には、読取が完了してハードディスク３０２に蓄積された画像データに基づく画像６６２が表示される。すなわち、矢符６６６に示すように、複数ページの原稿は、読取られた順にハードディスク３０２に蓄積されていく。また画面６５０において、タスクトリガー領域４８４では、「ＳＣＡＮ  ＩＮ」ボタン及びクリアーオールボタン（ＣＡ）に替えて、原稿の読取の中止を要求するための読込中止ボタンが表示される。また、アクションパネル領域４８２に替えて、アクションパネル領域４８２を表示させるためのアクションパネル表示ボタン５２２が表示される。アクションパネル表示ボタン５２２がユーザによって押下されると、アクションパネル領域４８２が表示される。
【０１４３】
全ての原稿の読込みが完了すると、画面はフィット・トゥー・スクリーン画面５００となり、読込んだ画像の１ページ目がプレビュー領域４８０に表示される（ステップ６１２）。
【０１４４】
読取が完了すると、ユーザはプレビュー領域４８０に表示された画像を見ながら、機能選択領域４１０を使用して種々の設定を行なう（ステップ６１４，６１８、６２０，６２２，６２４，及び６３０の経路）。設定がされると、その結果にしたがって更新された画像がプレビュー領域４８０に表示される（ステップ６３２）。
【０１４５】
プレビュー表示に関連する表示モードの変更時には、画像形成装置１００は以下のように動作する。プレビュー表示のときには、フィット・トゥー・スクリーン画面５００、仕上がりプレピュー画面５１０、画像編集モード画面５２０、及び原稿表示モード画面５３０のどの画面でも、原稿表示モードボタン４５２、仕上がりプレビューボタン４５４、フィット・トゥー・スクリーンボタン４５６、及び画像編集ボタン４６８を押すことで所望の画面に移動することができる。以下の説明では、説明を分かりやすくするために、フィット・トゥー・スクリーン画面５００から各画面に表示モードを変更したときの画像形成装置１００の動作を説明する。
【０１４６】
ユーザは、原稿の仕上がりプレビューを見たいときには、仕上がりプレビューボタン４５４を押す。するとディスプレイ１３０の画面は図７に示す仕上がりプレピュー画面５１０に変化する（ステップ６１４，６１８，６２０，６２２，６２４，６２６及び６２８の経路。以後、表示モード変更時には、制御は同じ経路をたどる。）。仕上がりプレピュー画面５１０では、機能選択領域４１０が縮小されて機能アイコン群５１２のみとなる。プレビュー領域４８０は広くなり、ユーザは、多数の原稿の、種々の設定にしたがった仕上がりプレビューを容易に確認できる。
【０１４７】
ユーザは、原稿の並びを確認したいときには、原稿表示モードボタン４５２を押す。画面は図９に示す原稿表示モード画面５３０に変化する。機能選択領域４１０は縮小され、プレビュー領域４８０は広くなる。プレビュー領域４８０に、複数の原稿画像がマトリクス状に配置されプレビュー表示される。原稿の数が多いときには、プレビュー領域４８０の右辺にスクロールバー５３２が表示される。スクロールバー５３２を用いることにより、プレビュー領域４８０の表示をスクロールさせることができ、全ての原稿画像を確認することができる。
【０１４８】
原稿に関する編集を行ないたいときには、ユーザは画像編集ボタン４６８を押す。画面は図８に示す画像編集モード画面５２０に変化する。画像編集モード画面５２０では、新たに画像編集のためのボタンと、任意の原稿画像を削除するためのゴミ箱アイコン４７０とが表示される。画像編集モード画面５２０では、機能選択領域４１０は縮小され、機能アイコン群５１２のみが表示される。アクションパネル領域４８２も縮小され、アクションパネル表示ボタン５２２のみの表示となる。タスクトリガー領域４８４も画面の右端側に向けて縮小される。プレビュー領域４８０の大きさは他のどの画面のときより大きくなる。ユーザは、画像の細部まで確認しながら、原稿画像に対する画像編集を行なうことができる。
【０１４９】
原稿の編集には、各ページに対するものと、複数ページに対するものとの２種類がある。本実施の形態では、前者を画像編集と呼び、後者をレイアウト編集と呼ぶ。画像編集には、画像の枠消去、テキストの追加、ウォータマークの埋込み、ユーザスタンプの追加等がある。レイアウト編集には、複数ページを１ページに集約するページ集約、複数ページにわたるとじしろの設定、ページの移動等がある。これら画像編集及びレイアウト編集は、プレビュー領域４８０に表示された編集ボタン、又は機能アイコン群５１２に表示されたアイコンを操作することで呼び出すことができる。原稿画像をゴミ箱アイコン４７０にドラッグ・アンド・ドロップすると、当該ページを削除できる。ページの移動は、移動させたいページを、移動させたい位置にドラッグ・アンド・ドロップすることで行なえる。
【０１５０】
図６のフィット・トゥー・スクリーン画面５００、図７の仕上がりプレピュー画面５１０、図９の原稿表示モード画面５３０では、アクションパネル領域４８２が表示されている。アクションパネル領域４８２には、コピー操作についての補助・助言・提案についての情報が表示される。例えば、アクションパネル領域４８２には、ユーザが選択した動作モードにおいて有効な機能が表示される。表示された項目はそれ自体ソフトウェアボタンとなっている。アクションパネル領域４８２に表示された項目のうち、所望の項目の部分をユーザが操作すると、その機能が起動される。
【０１５１】
図８の画像編集モード画面５２０ではアクションパネル領域４８２は表示されていない。しかしアクションパネル表示ボタン５２２を操作すると、アクションパネル領域４８２がプレビュー領域４８０上に広がり、他の表示画面と同様の表示が行なわれる。ただしこのとき、アクションパネル領域４８２の背景は半透明となっている。したがってプレビュー領域４８０に表示されている原稿をアクションパネル領域４８２の上から確認できる。アクションパネル領域４８２が表示された後、何も操作されずに所定時間が経過したり、ユーザがアクションパネル領域４８２とは無関係な操作をしたりするとアクションパネル領域４８２は再び縮小され、アクションパネル表示ボタン５２２に置き換えられる。
【０１５２】
このように、プレビュー表示を利用した処理では、画面を大きく５つの領域に分割する。ユーザが行なおうとする処理に応じ、プレビュー領域４８０を大きくしたり、他の領域を大きくしたりする。例えば、フィット・トゥー・スクリーン画面５００から仕上がりプレピュー画面５１０及び原稿表示モード画面５３０に移行するときには、機能選択領域４１０を縮小する。その結果、プレビュー領域４８０の面積が拡大される。プレビュー領域４８０を大きくすると、プレビュー画像の細部まで確認したり、多くの原稿のプレビュー画像を一度に見てその細部まで確認したりすることが容易になる。この場合、アクションパネル領域４８２及びタスクトリガー領域４８４についてはそのまま表示している。そのため、プレビュー画像の確認中にも所望の操作をすぐに選択でき、操作性が良好に保たれる。
【０１５３】
表示モードが画像編集モード画面５２０に移行する際には、機能選択領域４１０に加え、アクションパネル領域４８２及びタスクトリガー領域４８４も縮小表示される。プレビュー領域４８０の領域が可能な限り大きく確保できるため、画像の細部まで確認しながら編集を行なうことができる。この場合でも、機能選択領域４１０、アクションパネル領域４８２及びタスクトリガー領域４８４が画面の端部に縮小して表示されている。何かの機能を選択する必要があるときには、これら領域を拡大してその機能を選択する操作を簡単に行なうことができる。
【０１５４】
操作に慣れていないユーザの場合でも、表示モードを変更するボタンを押すと、操作しやすい画面（フィット・トゥー・スクリーン画面５００、仕上がりプレピュー画面５１０、原稿表示モード画面５３０）に容易に変更できる。したがって、プレビュー画像による画像の確認を確実かつ容易にすることができると同時に、画像に対する操作も容易に行なうことができる。
【０１５５】
上記実施の形態では、画面を大きく５つの領域に分割している。しかし本発明はそのような実施の形態に限定されるわけではない。画面を、プレビュー領域とそれ以外の少なくとも１つの領域とに分割するものであればよい。表示モードに応じてプレビュー領域以外の領域の表示を、通常サイズと縮小サイズとの間で切替え、残った領域をプレビュー領域として使用する。例えば画面を長手方向に３つの領域に分割し、中央をプレビュー領域とするような実施の形態でもよい。この場合、プレビュー領域以外の領域を通常サイズと縮小サイズとの間で切替えるようにすればよい。両者を同時に縮小する必要はないが、プレビュー領域の大きさを最大限にしたい場合には、両者を同時に縮小することが望ましい。なお、それら領域は、タッチパネルの長手方向に沿って配置されることが望ましい。左右の並びも及び上下の並びも、図５に示すものには限定されない。ユーザが操作しやすいようにこれら領域の並びをカスタマイズできるようにしてもよい。システム領域４００の位置は最下部であってもよい。
【０１５６】
上記実施の形態では、機能選択領域４１０、アクションパネル領域４８２などについては、縮小表示された後、フリック操作などで拡大されるときには、背景を半透明としている。しかし本発明はそのような実施の形態には限定されない。背景を不透明としても良いことはもちろんである。
【０１５７】
さらに上記実施の形態では、タッチ操作とジェスチャー操作との双方が可能なディスプレイ１３０を用いている。しかし本発明はそのような実施の形態には限定されない。タッチ操作のみが可能なディスプレイを持つ装置であってもよい。この場合、縮小された機能選択領域４１０を拡大するために、特別なボタンを表示するようにしてもよい。
【０１５８】
今回開示された実施の形態は単に例示であって、本発明が上述した実施の形態のみに限定されるわけではない。本発明の範囲は、発明の詳細な説明の記載を参酌した上で、特許請求の範囲の各請求項によって示され、そこに記載された文言と均等の意味および範囲内でのすべての変更を含む。
【符号の説明】
【０１５９】
１００  画像形成装置
１２０  操作ユニット
１３０  ディスプレイ１３０
１３２  表示パネル
１３４  タッチパネル
１４０  表示操作部
１４８  ホームキー
３００  ＣＰＵ
３０２  ハードディスク
３０４  ネットワークインターフェイス
３０６  ＲＯＭ
３０８  ＲＡＭ
３１０  バス
３３０  ホーム画面
４１０  機能選択領域４１０
４５２  原稿表示モードボタン
４５４  仕上がりプレビューボタン
４５６  フィット・トゥー・スクリーンボタン
４６８  原稿編集ボタン
４８０  プレビュー領域
４８２  アクションパネル領域
４８４  タスクトリガー領域
５００  フィット・トゥー・スクリーン画面
５１０  仕上がりプレピュー画面
５１２  機能アイコン群
５２０  画像編集モード画面
５３０  原稿表示モード画面
【図１】
0005255093.tif 000002
【図２】
0005255093.tif 000003
【図３】
0005255093.tif 000004
【図４】
0005255093.tif 000005
【図５】
0005255093.tif 000006
【図６】
0005255093.tif 000007
【図７】
0005255093.tif 000008
【図８】
0005255093.tif 000009
【図９】
0005255093.tif 000010
【図１０】
0005255093.tif 000011
【図１１】
0005255093.tif 000012
【図１２】
0005255093.tif 000013